【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】 撮像区域の相対向する側でガントリ（２０）に装着されている放射線源（２６）と、並進軸（４８）に垂直に配列されているＮ行の別個の検出器行を含む対向検出器（４４）とを含んでいる計算機式断層写真法（ＣＴ）イメージング・システム（３８）と共に用いられて、ピッチｐを有するヘリカル・スキャンで取得される投影データ集合から物体内部の関心領域（ＲＯＩ）を通るスライス画像平面全体にわたる断層スライス画像を形成する装置であって、前記データ集合は前記Ｎ行の検出器行（Ｒ１〜Ｒ８）に対応するＮ個の別個の行データ集合を含んでおり、各々の行データ集合は行ビューとガントリ角度とを相関付けしており、前記投影データ集合内の中心角度βは前記スライス画像平面と実質的に整列しており、当該装置は、前記Ｎ個の別個の行データ集合の各々について別個の投影データ配列（１０４）を形成し、各々の投影データ配列について別個の螺旋加重付き配列（１０８）を形成するために前記投影データ配列の各々に螺旋加重関数を適用して（１１２）、（ｃ） 前記螺旋加重付き配列を用いてスライス画像を構成する（１１６）ように構成されている画像再構成器を備えており、各々の投影データ配列に適用される前記加重関数は、
【数１】
2003164444.tif 000001
であり、ここで、
Δβ＝（２π／ｐ）、
βｒ１＝ｔｇγ＋ｒΔβ、
βｒ２＝βｒ１＋Δβ、及び
βｒ３＝βｒ１＋２Δβ
であり、ここで、ｔｇは正接加重パラメータであり、γは各々のビーム内でのファン角度であり、ｒは検出器行番号であって０〜Ｎ−１の値を有している装置。
【請求項２】 前記再構成器（６８）は、前記螺旋加重付き配列の各々に共役加重関数を適用して（１１５）、これにより、各々の螺旋加重付き配列について共役加重付き配列（１１４）を形成するようにさらに構成されており、また前記再構成器は、前記共役加重付き配列を用いて前記スライス画像を構成するように構成されている請求項１に記載の装置。
【請求項３】 前記共役加重関数は下記の式
【数２】
2003164444.tif 000002
を含んでおり、ここで、ｗ０及びｗｎは、それぞれ最初の検出器行及び最後の検出器行についての螺旋加重関数であり、βｎ０及びβｎｃは、それぞれ前記最初の行の始点及び前記最後の行の終点に対応する共役パラメータである請求項２に記載の装置。
【請求項４】 撮像区域の相対向する側でガントリ（２０）に装着されている様々なファン・ビーム角度γに位置する射線を含むファン・ビームを形成する放射線源（２６）と、並進軸（４８）に垂直に配列されているＮ行の別個の検出器行（Ｒ１〜Ｒ８）を含む対向検出器（４４）とを含んでいる計算機式断層写真法（ＣＴ）イメージング・システム（３８）と共に用いられて、ピッチｐを有するヘリカル・スキャンで取得される投影データ集合から物体内部の関心領域（ＲＯＩ）を通るスライス画像平面全体にわたる断層スライス画像を形成する装置であって、前記データ集合は前記Ｎ行の検出器行に対応するＮ個の別個の行データ集合を含んでおり、各々の行データ集合は行ビューとガントリ角度とを相関付けしており、前記投影データ集合内の中心角度βは前記スライス画像平面と実質的に整列しており、当該装置は、前記Ｎ個の別個の行データ集合の各々について別個の投影データ配列を形成し（１０２）、各々の投影データ配列について別個の螺旋加重付き配列を形成するために前記投影データ配列の各々に螺旋加重関数を適用し（１１２）、ここで、各々の行ビューに対応する前記加重関数は前記ガントリ角度及び前記ファン角度の両方に従属しており、前記螺旋加重付き配列を用いてスライス画像を構成する（１１６）ように構成されている画像再構成器を備えた装置。
【請求項５】 前記再構成器（６８）は、前記螺旋加重付き配列の各々に共役加重関数（１１０）を適用して（１１５）、これにより、各々の螺旋加重付き配列について共役加重付き配列（１１４）を形成するようにさらに構成されており、また前記再構成器は、前記共役加重付き配列を用いて前記スライス画像（１２０）を構成するように構成されている請求項４に記載の装置。
【請求項６】 前記共役加重関数は下記の式
【数３】
2003164444.tif 000003
を含んでおり、ここで、ｗ０及びｗｎは、それぞれ最初の検出器行及び最後の検出器行についての螺旋加重関数であり、βｎ０及びβｎｃは、それぞれ前記最初の行の始点及び前記最後の行の終点に対応する共役パラメータである請求項５に記載の装置。
【請求項７】 撮像区域の相対向する側でガントリ（２０）に装着されている放射線源（２６）と、並進軸（４８）に垂直に配列されているＮ行の別個の検出器行（Ｒ１〜Ｒ８）を含む対向検出器（４４）とを含んでいる計算機式断層写真法（ＣＴ）イメージング・システム（３８）と共に用いられて、ピッチｐを有するヘリカル・スキャンで取得される投影データ集合から物体内部の関心領域（ＲＯＩ）を通るスライス画像平面全体にわたる断層スライス画像を形成する方法であって、前記データ集合は前記Ｎ行の検出器行に対応するＮ個の別個の行データ集合を含んでおり、各々の行データ集合は行ビューとガントリ角度とを相関付けしており、前記投影データ集合内の中心角度βは前記スライス画像平面と実質的に整列しており、当該方法は、前記Ｎ個の別個の行データ集合の各々について別個の投影データ配列を形成する工程（１０２）と、各々の投影データ配列について別個の螺旋加重付き配列を形成するために、工程（ａ）において形成された前記投影データ配列の各々に螺旋加重関数（１０６）を適用する工程（１１２）であって、各々の投影データ配列に適用される前記加重関数は、
【数４】
2003164444.tif 000004
であり、ここで、
Δβ＝（２π／ｐ）、
βｒ１＝ｔｇγ＋ｒΔβ、
βｒ２＝βｒ１＋Δβ、及び
βｒ３＝βｒ１＋２Δβ
であり、ここで、ｔｇは正接加重パラメータであり、γは各々のビーム内でのファン角度であり、ｒは検出器行番号であって０〜Ｎ−１の値を有している、適用する工程（１１２）と、前記螺旋加重付き配列を用いてスライス画像（１２０）を構成する工程（１１６）とを備えた方法。
【請求項８】 前記方法は、前記螺旋加重付き配列の各々に共役加重関数（１１０）を適用する工程（１１５）であって、これにより、各々の螺旋加重付き配列について共役加重付き配列（１１４）を形成する適用する工程（１１５）をさらに含んでおり、前記構成する工程は、前記共役加重付き配列を用いて前記スライス画像を構成する工程（１１８）を含んでいる請求項７に記載の方法。
【請求項９】 撮像区域の相対向する側でガントリ（２０）に装着されている様々なファン・ビーム角度γに位置する射線を含むファン・ビームを形成する放射線源（２６）と、並進軸（４８）に垂直に配列されているＮ行の別個の検出器行（Ｒ１〜Ｒ８）を含む対向検出器（４４）とを含んでいる計算機式断層写真法（ＣＴ）イメージング・システム（３８）と共に用いられて、ピッチｐを有するヘリカル・スキャンで取得される投影データ集合から物体内部の関心領域（ＲＯＩ）を通るスライス画像平面全体にわたる断層スライス画像を形成する方法であって、前記データ集合は前記Ｎ行の検出器行に対応するＮ個の別個の行データ集合を含んでおり、各々の行データ集合は行ビューとガントリ角度とを相関付けしており、前記投影データ集合内の中心角度βは前記スライス画像平面と実質的に整列しており、当該方法は、前記Ｎ個の別個の行データ集合の各々について別個の投影データ配列（１０４）を形成する工程（１０２）と、各々の投影データ配列について別個の螺旋加重付き配列を形成するために前記投影データ配列の各々に螺旋加重関数（１０６）を適用する工程（１１２）であって、ここで、各々の行ビューに対応する前記加重関数は前記ガントリ角度及び前記ファン角度の両方に従属している、適用する工程（１１２）と、前記螺旋加重付き配列を用いてスライス画像を構成する工程（１１６）とを備えた方法。
【請求項１０】 前記方法は、前記螺旋加重付き配列の各々に共役加重関数（１１０）を適用する工程（１１５）であって、これにより、各々の螺旋加重付き配列について共役加重付き配列（１１４）を形成する適用する工程（１１５）をさらに含んでおり、前記スライス画像を構成する前記工程は、前記共役加重付き配列を用いる工程を含んでいる請求項９に記載の方法。